(57)【要約】【課題】  ゲートキーパーが一時的に不在（故障時含む）時にも当該相手端末とのセッション（Ｈ．３２３など）の確立を行うことができる通信端末装置を提供する。【解決手段】  ゲートキーパーおよび通信相手端末を有するＩＰ網に接続され、ＲＡＳを搭載した通信端末装置であって、前記ゲートキーパーより前記通信相手端末のＥ．１６４アドレスをＩＰアドレスへ翻訳したときの情報を受け取った際に、前記通信相手端末のＥ．１６４アドレスとそのＩＰアドレスとを対で記憶する記憶手段を具備し、前記ゲートキーパーが一時的に不在の場合、前記記憶手段より前記通信相手端末のＥ．１６４アドレスとそのＩＰアドレスとの対を読み出し、そのＥ．１６４アドレスとそのＩＰアドレスとの対に基づいて前記通信相手端末とのセッションを確立する構成となっている。【選択図】      図１
2007006404.tif 000002
【特許請求の範囲】
【請求項１】
ゲートキーパーおよび通信相手端末を有するＩＰ網に接続された通信端末装置であって、
前記ゲートキーパーより前記通信相手端末のアドレスをＩＰアドレスへ翻訳したときの情報を受け取った際に、前記通信相手端末のアドレスとそのＩＰアドレスとを対で記憶する記憶手段を具備し、
前記ゲートキーパーが一時的に不在の場合、前記記憶手段より前記通信相手端末のアドレスとそのＩＰアドレスとの対を読み出し、その通信相手端末のアドレスとそのＩＰアドレスとの対に基づいて前記通信相手端末とのセッションを確立することを特徴とする通信端末装置。
【請求項２】
前記記憶手段に、複数の通信相手端末のアドレスとＩＰアドレスの複数対が記憶されることを特徴とする請求項１記載の通信端末装置。
【請求項３】
前記通信相手端末のアドレスとＩＰアドレスの対に対して、有効期限が設定されると共に、その有効期限が前記記憶手段に記憶されることを特徴とする請求項１記載の通信端末装置。
【請求項４】
前記有効期限が、ユーザの環境に合わせて自由に設定されることを特徴とする請求項３記載の通信端末装置。
【請求項５】
前記有効期限が、未満了の場合にのみ、前記通信相手端末のアドレスとそのＩＰアドレスとの対に基づいて前記通信相手端末とのセッションを確立することを特徴とする請求項３記載の通信端末装置。
【請求項６】
前記通信端末装置が、ＲＡＳを搭載しており、前記通信相手端末のアドレスが、Ｅ．１６４アドレスであることを特徴とする請求項１乃至５のいずれか一項に記載の通信端末装置。
【請求項７】
ゲートキーパーおよび通信相手端末を有するＩＰ網に接続された通信端末装置から前記通信相手端末へ通信を行なう通信方法であって、
前記ゲートキーパーより前記通信相手端末のアドレスをＩＰアドレスへ翻訳したときの情報を前記通信端末装置が受け取った際に、前記通信相手端末のアドレスとそのＩＰアドレスとを対で記憶するステップと、
前記ゲートキーパーが一時的に不在の場合、前記記憶した前記通信相手端末のアドレスとそのＩＰアドレスとの対を読み出し、その通信相手端末のアドレスとそのＩＰアドレスとの対に基づいて前記通信端末装置が前記通信相手端末とのセッションを確立するステップと、を具備することを特徴とする通信方法。
【請求項８】
前記通信端末装置が、ＲＡＳを搭載しており、前記通信相手端末のアドレスが、Ｅ．１６４アドレスであることを特徴とする請求項７に記載の通信方法。
【発明の詳細な説明】
【技術分野】
【０００１】
この発明は、ゲートキーパーおよび通信相手端末を有するＩＰ網に接続され、ＲＡＳを搭載した通信端末装置に関し、特に、ゲートキーパーが一時的に不在（故障時含む）時にも当該相手端末とのセッション（Ｈ．３２３など）の確立を行うことができる通信端末装置および通信方法に関するものである。
【背景技術】
【０００２】
通常、ＩＰ網上のゲートキーパー（ＧａｔｅＫｅｅｐｅｒ：Ｈ．３２３端末、ゲートウェイ、およびＭＣＵに対してアドレス変換やネットワークアクセス制御などのサービスを提供するネットワーク上のＨ．３２３エンティティ）へ接続することで、ユーザは、通信したい相手端末の宛先情報として「Ｅ．１６４アドレス」をもって当該相手端末と通信することが可能となる。
これはゲートキーパーが「Ｅ．１６４アドレス」から「ＩＰアドレス」へのアドレス解決機能を有しているためである。
なお、先行技術としては、特許文献１として、電源投入後の起動時に、自端末情報テーブルの内容と登録済み自端末情報テーブルの内容を比較し、一致していないときには、ゲートキーパー装置に対して登録取消動作を行った後に、登録動作を行うようにしているので、自端末で使用する自端末情報テーブルとの内容と、ゲートキーパー装置に登録した内容が常に一致し、それにより、通信端末装置が、ゲートキーパー装置を適切に利用できる技術が開示されている。
また特許文献２として、各ゲートキーパ（ＧＫ）のエンドポイント装置毎のＥ．１６４の別名をＧＫへ予め登録することと、発呼側エンドポイント装置が被呼側エンドポイント装置のＥ．１６４の別名により被呼側エンドポイント装置を呼び出すことを含み、Ｅ．１６４の別名はＩＰネットワークシステム内の一意的なゾーンプレフィックスとＧＫ内の一意的なエンドポイント装置番号とを含み、さらに、発呼側ＧＫが被呼側エンドポイント装置のＥ．１６４の別名からプレフィックスを抽出し、被呼側ＧＫに被呼側エンドポイント装置のＩＰアドレスの翻訳を要求することと、被呼側ＧＫが被呼側エンドポイント装置のＩＰアドレスを翻訳して発呼側ＧＫへ戻すことと、発呼側ＧＫが発呼側エンドポイント装置へＩＰアドレスを通知することと、発呼側エンドポイント装置がＩＰアドレスに従って被呼側エンドポイント装置へセットアップ信号を送信して呼を開始することを含む技術が開示されている。
また特許文献３として、Ｇａｔｅｗａｙ装置には、Ｇａｔｅｋｅｅｐｅｒ装置にて有する局番号と接続先との変換情報と同等の変換情報を備え、自装置情報を周期的にＧａｔｅｋｅｅｐｅｒ装置に送信し、これに対する応答信号を受信することで自装置の登録状態を確認し、この周期的な登録状態判定処理において、応答信号が返送されなかった場合、ネットワーク上の障害とみなし、前記自装置にて有する変換情報を用いてＧａｔｅｗａｙ間の呼接続を確立するようにする技術が開示されている。
【特許文献１】特開２００３−３０９５６２公報
【特許文献２】特表２００５−５００７８６公報
【特許文献３】特開２００２−１１８６１７公報
【発明の開示】
【発明が解決しようとする課題】
【０００３】
しかしながら、上記従来のＩＰ網上の通信技術には、以下のような問題点があった。
すなわち、一時的にゲートキーパーがダウンしているような時には、その期間中は、相手端末の宛先情報として「Ｅ．１６４アドレス」ではもはや通信不可能となるものであった。
本発明は、上記従来の問題点を解決するためになされたもので、その目的は、ゲートキーパーが一時的に不在（故障時含む）時にも当該相手端末とのセッション（Ｈ．３２３など）の確立を行うことができる通信端末装置および通信方法を提供することである。
【課題を解決するための手段】
【０００４】
上述の目的を達成するために、請求項１記載の発明は、ゲートキーパーおよび通信相手端末を有するＩＰ網に接続された通信端末装置であって、前記ゲートキーパーより前記通信相手端末のアドレスをＩＰアドレスへ翻訳したときの情報を受け取った際に、前記通信相手端末のアドレスとそのＩＰアドレスとを対で記憶する記憶手段を具備し、前記ゲートキーパーが一時的に不在の場合、前記記憶手段より前記通信相手端末のアドレスとそのＩＰアドレスとの対を読み出し、その通信相手端末のアドレスとそのＩＰアドレスとの対に基づいて前記通信相手端末とのセッションを確立することを特徴とする。
また、請求項２記載の発明は、前記記憶手段に、複数の通信相手端末のアドレスとＩＰアドレスの複数対が記憶されることを特徴とする。
また、請求項３記載の発明は、前記通信相手端末のアドレスとＩＰアドレスの対に対して、有効期限が設定されると共に、その有効期限が前記記憶手段に記憶されることを特徴とする。
また、請求項４記載の発明は、前記有効期限が、ユーザの環境に合わせて自由に設定されることを特徴とする。
また、請求項５記載の発明は、前記有効期限が、未満了の場合にのみ、前記通信相手端末のアドレスとそのＩＰアドレスとの対に基づいて前記通信相手端末とのセッションを確立することを特徴とする。
また、請求項６記載の発明は、前記通信端末装置が、ＲＡＳを搭載しており、前記通信相手端末のアドレスが、Ｅ．１６４アドレスであることを特徴とする。
また、請求項７記載の発明は、ゲートキーパーおよび通信相手端末を有するＩＰ網に接続された通信端末装置から前記通信相手端末へ通信を行なう通信方法であって、前記ゲートキーパーより前記通信相手端末のアドレスをＩＰアドレスへ翻訳したときの情報を前記通信端末装置が受け取った際に、前記通信相手端末のアドレスとそのＩＰアドレスとを対で記憶するステップと、前記ゲートキーパーが一時的に不在の場合、前記記憶した前記通信相手端末のアドレスとそのＩＰアドレスとの対を読み出し、その通信相手端末のアドレスとそのＩＰアドレスとの対に基づいて前記通信端末装置が前記通信相手端末とのセッションを確立するステップと、を具備することを特徴とする。
また、請求項８記載の発明は、前記通信方法において、前記通信端末装置が、ＲＡＳを搭載しており、前記通信相手端末のアドレスが、Ｅ．１６４アドレスであることを特徴とする。
【発明の効果】
【０００５】
本発明によれば、ゲートキーパーより通信相手端末のアドレスをＩＰアドレスへ翻訳したときの情報を受け取った際に、通信相手端末のアドレスとそのＩＰアドレスとを対で記憶しておくことによって、ゲートキーパーが一時的に不在の場合にも、その通信相手端末のアドレスとそのＩＰアドレスとの対に基づいて通信相手端末とのセッションを確立することができる。
また、本発明によれば、通信相手端末のアドレスとＩＰアドレスの情報対に対して有効期限を設けることによって、意図しない相手先への誤送信を抑えることができる。
また、本発明によれば、有効期限を自由に設定できることによって、各々のユーザの環境に合わせた期間設定を可能にする。
【発明を実施するための最良の形態】
【０００６】
以下に添付の図を参照してこの発明の実施形態を詳細に説明する。
図１は、本発明を実施した通信端末装置を取り巻くネットワークの構成図である。ここでは、Ｈ．３２３による呼接続とＴ．３８によるＩＰ−ＦＡＸ通信を例にとって実施例を説明する。
図１において、インターネット６を介して、通信端末装置としてのエンドポイントＸ、Ａ、Ｂ、Ｃ（図中表記１、２、３、４）とゲートキーパー５とが接続されており、ゲートキーパー５は、Ｅ．１６４アドレスとＩＰアドレスの関連付けデータの登録機能を担い、Ｈ．２２５信号上でＥ．１６４アドレスからＩＰアドレスへのアドレス解決機能も担う。なお、ネットワーク上の通信端末装置は、ゲートキーパーに対して自端末の登録要求を行う。
エンドポイントＸ（図中表記１）は、ＲＡＳ、Ｈ．３２３、Ｔ．３８プロトコルによる通信機能を有する通信端末装置であり、本発明はエンドポイントＸ（図中表記１）に適用実施される。なお、このエンドポイントＸ（図中表記１）は、ＣＰＵおよびプログラムＲＯＭ等からなる制御部１ａを有しており、後述する図２、図３、図４のフローチャートで示す動作を制御するようになっている。
記憶部７は、エンドポイントＸ（図中表記１）が有する記憶装置で、ゲートキーパー５へアクセス（ＲＡＳ）して取得できる、相手端末のアドレス情報（「Ｅ．１６４アドレス」と「ＩＰアドレス」の対）を記憶すると共に、これらのアドレス情報の有効期限を記憶しておく部分であり、主電源ＯＦＦ／ＯＮでもデータが消去しない不揮発な記憶部である。なお、この記憶部７には、これらのアドレス情報およびその有効期限のほかに、ユーザ名称も記憶される。
【０００７】
ここで、相手端末のアドレス情報の有効期限を記憶しておく理由は、以下の理由による。
すなわち、ユーザを取り巻く通信環境は刻一刻と変化していくものであり、それに合わせてゲートキーパーへの登録内容も変化していくはずであり、ある時には、「Ｅ．１６４アドレス」Ａに対応する「ＩＰアドレス」がＸとしてゲートキーパーへ登録していたものが、翌日には「Ｅ．１６４アドレス」Ａに対応する「ＩＰアドレス」をＹに登録内容を変更していることもありうる。このような事態を考慮して、記憶情報（「Ｅ．１６４アドレス」と「ＩＰアドレス」の対）に対して有効期限を設けている。
また、各々のユーザの通信環境は刻一刻と変化しており、そのため、有効期間を長時間とすれば無効な記憶情報（請求項１について、を参照）を作ることになり、短期間とすれば記憶情報の有効期限の満了が早まってしまう。そこで、各々のユーザの環境に合わせた有効期限の設定することが望ましい。
【０００８】
次に、本発明を実施した通信端末装置１（エンドポイントＸ）の動作（請求項１、２、３、４、６）について、図２、図３、図４のフローチャートを参照して説明する。図２―４は、本発明を実施した通信端末装置１（エンドポイントＸ）の動作フローチャートである。
まず、準備動作として、通信端末エンドポイントＸ（図１中表記１：本発明の適用対象）の管理者は、記憶部７に記憶する通信相手端末の「Ｅ．１６４アドレス」と「ＩＰアドレス」の対の情報の有効期限を設定しておく（請求項４）。例えば、Ａさんの場合、最終ＲＡＳアドレス解決時から２４時間を有効期間と設定し、Ｂさんの場合、最終ＲＡＳアドレス解決時から１週間を有効期間と設定する。
ここで、「２４時間」と設定した場合は、記憶部７に記憶している「Ｅ．１６４アドレス」「ＩＰアドレス」対情報は、ゲートキーパーへアクセスすることによって最後にアドレス解決したときから２４時間後に無効化（消去）する。
次に、エンドポイントＸが、エンドポイントＡに対して発呼を行い、正常にＩＰ−ＦＡＸ通信を遂行し、同時に発呼先エンドポイントＡの「Ｅ．１６４アドレス」「ＩＰアドレス」の対に加えて、「有効期限」を記憶するまでの動作について説明する（請求項１、２、３）。
まず、ユーザは、本発明対象の通信端末装置（図１中表記１：エンドポイントＸ）のユーザインターフェースから、ＩＰ−ＦＡＸ送信相手先の宛先として相手端末の「Ｅ．１６４アドレス」（例として、図１中表記２のエンドポイントＡのＥ．１６４アドレス「８１１１」を指定）を指定することで発呼を行う（図２のステップ１０１）。
次に、エンドポイントＸは「Ｅ．１６４アドレス」（図１の例においては、８１１１）に対応するＩＰアドレスを解決するためにゲートキーパー５へＨ．２２５信号であるＡＲＱを送信する（ステップ１０３）。
【０００９】
次に、ゲートキーパー５から応答ＡＲＱ信号を受信し（ステップ１０４のＹｅｓ）、ゲートキーパー５からの応答ＡＲＪ信号を受信した場合（ステップ１０５のＡＲＪ）、一連の発呼処理を終了する。
他方、ゲートキーパー５から応答ＡＣＦ信号を受信した場合、つまり、エンドポイントＸが、ゲートキーパー５よりエンドポイントＡのＥ．１６４アドレスをＩＰアドレスに翻訳した情報（応答ＡＣＦ信号）を受け取った場合（ステップ１０５のＡＣＦ）、同ＡＣＦ信号から「Ｅ．１６４アドレス」（図１の例においては、８１１１）に対応する「ＩＰアドレス」（図１の例においては、エンドポイントＡのＩＰアドレス１３３．１３９．１７５．１１２）を取得し、これら２つのアドレス情報（「ＩＰアドレス」と「Ｅ．１６４アドレス」）を対にして記憶部７へ記憶する。
また、すでに同一の「Ｅ．１６４アドレス」が記憶部７内に存在していた場合、こちらの古い対情報を消去して、本通信で取得した対情報を記憶させる（ステップ１０６）。
なお、ここで、複数の相手端末に対応する複数対のアドレス情報を記憶部７に記憶させるようにすることもできる（請求項２）。
また、ここで、「Ｅ．１６４アドレス」と「ＩＰアドレス」に加えて、「有効期限」をセットにして記憶部７に記憶させる（請求項３）。
次に、相手端末（図１中のエンドポイントＡ）間で、Ｈ．３２３呼接続用セッション、音声用セッション、Ｔ．３８データ転送用セッションを確立して、ＦＡＸデータを転送する（ステップ１０７）。Ｔ．３８データ転送完了後、Ｈ．３２３呼接続用セッションをクローズ後、ゲートキーパーへＤＲＱを送信する（ステップ１０８）。それに対する応答信号ＤＦＣを受信する（ステップ１０９のＹｅｓ）。
以上の動作で、「Ｅ．１６４アドレス」８１１１に対する「ＩＰアドレス」１３３．１３９．１７５．１１２と、その「有効期限」が記憶部７に記憶された。
【００１０】
以下に、図１中表記のエンドポイントＸがエンドポイントＡに対して発呼を試みるが、このときゲートキーパー５がダウンしていた場合の動作を記す。
この場合、エンドポイントＸはゲートキーパー５とアクセスはできないため、先に記憶部７に記憶したエンドポイントＡに関する情報を使用して、エンドポイントＡと通信することになる。
ユーザは、本発明対象の通信端末装置（図１中表記１：エンドポイントＸ）のユーザインターフェースから、ＦＡＸ送信相手先の宛先として相手端末の「Ｅ．１６４アドレス」（例として、図１中表記２のエンドポイントＡのＥ．１６４アドレス「８１１１」を指定）を指定することで発呼を行う（ステップ１０１）。
エンドポイントＸは、ゲートキーパー５へＡＲＱ信号を送信するが、この時、ゲートキーパー５はダウンしているため応答はなんら得られず、最初にＡＲＱを送信してから３２秒が経過する（ステップ１０２のＹｅｓ）。
そこで、宛先として指定された「Ｅ．１６４アドレス」（この例では８１１１）と合致するＥ．１６４アドレスを記憶部７のテーブルから検索し（図３のステップ２０１）、同テーブル内に合致する「Ｅ．１６４アドレス」が存在しなかった場合、一連の発呼処理を終了する（ステップ２０２の無し）。
他方、記憶部７に合致する「Ｅ．１６４アドレス」が存在した場合（ステップ２０２の有り）、当該「Ｅ．１６４アドレス」と、それと対になる「ＩＰアドレス」と、請求項３の発明の場合には加えて、合致した「Ｅ．１６４アドレス」の「有効期限」を記憶部７から読み込み（ステップ２０３）、次に、該当した「有効期限」が満了してるか否かを確認する（ステップ２０４）。この実施形態の場合、該当する「Ｅ．１６４アドレス」は「８１１１」、「ＩＰアドレス」は「１３３．１３９．１７５．１１２」、有効期限は「２００４／１２／１１／１６：１５」までとなっている。
【００１１】
本例では、当該「有効期限」は「２００４／１２／１１／１６：１５」である。これに対して、現在時刻が２００４／１２／１１／２０：１５であった場合には、有効期限を満了していると判断し（ステップ２０４の満了済み）、当該「Ｅ．１６４アドレス」、「ＩＰアドレス」、「有効期限」を記憶部７から消去する（ステップ２０５）。
一方、該当した「有効期限」が満了していなかった場合（ステップ２０４の未満了）、当該「ＩＰアドレス」（本例では、１３３．１３９．１７５．１１２）に対して、Ｈ．３２３呼接続用のＴＣＰセッションをオープンするためにｃｏｎｎｅｃｔを行う（ステップ３０１）。
そして、ｃｏｎｎｅｃｔに成功した場合（ステップ３０２のＹｅｓ）、当該相手端末間でＨ．３２３呼接続セッション、音声セッション、Ｔ．３８ＦＡＸデータ転送用セッションを確立して、ＦＡＸデータを転送する（ステップ３０３）。Ｔ．３８データ転送完了後に、Ｈ．３２３呼接続セッションをクローズして、一連の発呼処理を完了する。
他方、ｃｏｎｎｅｃｔに失敗した場合（ステップ３０２のＮｏ）、当該「Ｅ．１６４アドレス」、「ＩＰアドレス」、請求項３の発明においては加えて「有効期限」の組の情報を記憶部７から消去する（ステップ３０４）。
なお、上記実施形態では、ステップ２０４の有効期限のチェック前に、ステップ２０３において「Ｅ．１６４アドレス」と、それと対になる「ＩＰアドレス」とを記憶部７から読み込みしているが、図５に示すように、ステップ４０３においては有効期限のみを読み込み、ステップ４０４の有効期限のチェックにおいて未満了の場合に、ステップ４０６において「Ｅ．１６４アドレス」と、それと対になる「ＩＰアドレス」とを記憶部７から読み込むようにしても良い。
【図面の簡単な説明】
【００１２】
【図１】本発明を実施した通信端末装置を取り巻くネットワークの構成図である。
【図２】本発明を実施した通信端末装置１（エンドポイントＸ）の動作フローチャートである。
【図３】本発明を実施した通信端末装置１（エンドポイントＸ）の動作フローチャートである。
【図４】本発明を実施した通信端末装置１（エンドポイントＸ）の動作フローチャートである。
【図５】本発明を実施した通信端末装置１（エンドポイントＸ）の変形例の動作フローチャートである。
【符号の説明】
【００１３】
１、２、３、４…通信端末装置（エンドポイント）、５…ゲートキーパー、６…インターネット、７…記憶部
【図１】
2007006404.tif 000003
【図２】
2007006404.tif 000004
【図３】
2007006404.tif 000005
【図４】
2007006404.tif 000006
【図５】
2007006404.tif 000007